(57)【要約】【課題】表示画面に表示するメニューやボタンの数を少なくできるタッチパネルを設けた表示制御装置、地図表示装置およびナビゲーション装置を提供する。【解決手段】こすりスイッチ領域２３を押圧しながら押圧位置を移動すると、表示画面に広域表示にする機能が割り当てられたアイコン４１など各種機能が割り当てられたアイコンが順次表示される。広域表示のアイコン４１を表示した時点でこすりスイッチ領域２３の押圧を止めると広域表示のアイコン４１に割り当てられている機能が実行され、表示モニタ１６に表示されていた道路地図２１の縮尺率が小さくなる。【選択図】図４
2007199980.tif 000002
【特許請求の範囲】
【請求項１】
表示画面にタッチパネルを設けた表示制御装置において、
前記表示画面上に設定され、押圧位置に応じた位置信号を出力するスイッチ領域と、
前記位置信号に対して割り当てられた機能を示すアイコンを前記表示画面上に表示するアイコン表示手段と、
前記表示画面上に表示されたアイコンを選択する選択手段と、
前記選択されたアイコンに基づく機能を実行する実行手段とを備えることを特徴とする表示制御装置。
【請求項２】
請求項１に記載の表示制御装置において、
前記スイッチ領域は、前記表示画面の周縁に沿って延在する帯状領域であり、
前記帯状領域には、所定間隔で複数の前記機能が設定されていることを特徴とする表示制御装置。
【請求項３】
請求項１または２に記載の表示制御装置において、
前記選択手段は、前記スイッチ領域から出力されている位置信号が消滅するタイミングで表示されているアイコンを選択することを特徴とする表示制御装置。
【請求項４】
請求項１または２に記載の表示制御装置において、
前記１つの位置信号に割り当てられた機能は複数であり、
前記アイコン表示手段は、前記複数の機能に対応する複数のアイコン、または複数の機能に対応する複数のボタンを表示し、
前記選択手段は、前記複数のアイコンのいずれかまたは複数のボタンのいずれかをさらに選択することを特徴とする表示制御装置。
【請求項５】
請求項１乃至３のいずれか１項に記載の表示制御装置において、
前記実行手段は、前記選択されたアイコンが押圧されると前記選択されたアイコンに基づく機能を実行することを特徴とする表示制御装置。
【請求項６】
表示画面にタッチパネルを設けた表示制御装置において、
前記表示画面上に設定されたスイッチ領域と、
前記スイッチ領域が押圧されたときに出力される位置信号が出力されている間、割り当てられた機能を示すアイコンを順次切り替えて前記表示画面上に表示するアイコン表示手段と、
前記スイッチ領域が押圧されたときに出力される位置信号が消滅するタイミングで表示されているアイコンを選択する選択する選択手段と、
前記選択されたアイコンに基づく機能を実行する実行手段とを備えることを特徴とする表示制御装置。
【請求項７】
請求項６に記載の表示制御装置において、
前記実行手段は、前記選択されたアイコンが押圧されると前記選択されたアイコンに基づく機能を実行することを特徴とする表示制御装置。
【請求項８】
表示画面にタッチパネルを設けた表示制御装置において、
前記表示画面上に設定されたスイッチ領域と、
前記スイッチ領域が押圧されたときに出力される位置信号が出力されるごとに、割り当てられた機能を示すアイコンを順次切り替えて前記表示画面上に表示するアイコン表示手段と、
前記アイコン表示手段によって表示されているアイコンを選択する選択手段と、
前記選択されたアイコンに基づく機能を実行する実行手段とを備えることを特徴とする表示制御装置。
【請求項９】
請求項６または８に記載の表示制御装置において、
前記割り当てられた機能は複数であり、
前記アイコン表示手段は、前記複数の機能に対応する複数のアイコン、または複数の機能に対応する複数のボタンを表示し、
前記選択手段は、前記複数のアイコンのいずれかまたは複数のボタンのいずれかをさらに選択することを特徴とする表示制御装置。
【請求項１０】
請求項１乃至９のいずれか１項に記載の表示制御装置において、
前記スイッチ領域を半透明で表示することを特徴とする表示制御装置。
【請求項１１】
請求項１乃至９のいずれか１項に記載の表示制御装置において、
前記スイッチ領域を表示しないことを特徴とする表示制御装置。
【請求項１２】
請求項１乃至１１のいずれか１項に記載の表示制御装置と、
前記表示画面に表示する道路地図を生成する地図生成手段とを備えることを特徴とする地図表示装置。
【請求項１３】
請求項１２に記載の地図表示装置と、
自車位置を検出する位置検出手段と、
前記検出手段で検出された自車位置に自車位置マークを表示する自車位置マーク表示手段とを備えることを特徴とするナビゲーション装置。
【発明の詳細な説明】
【技術分野】
【０００１】
本発明は、表示画面に表示されたメニューやボタンなどを押圧操作することによって各種機能を実行させることができる、タッチパネルを備えた表示制御装置、地図表示装置およびナビゲーション装置に関する。
【背景技術】
【０００２】
移動体の現在位置表示に重ねて画面の一部のエリアに各種機能のメニューを表示する現在位置表示装置が従来技術として知られている（特許文献１）。
【特許文献１】特開平７−１４１５９７号公報
【発明の開示】
【発明が解決しようとする課題】
【０００３】
ナビゲーション装置の高機能化が進み、ナビゲーション装置の機能は日々増えている。また、ナビゲーション装置の省スペース化に伴い、表示モニタの周囲に設けられているハードスイッチを廃止し、表示画面に表示されるボタンやメニューの押圧操作でナビゲーション装置の機能の多くを操作したいとの要請も高い。しかし、ナビゲーション装置の各種機能や表示モニタの周囲に設けられていたハードスイッチをすべてメニューやボタンで表示画面に表示すると、メニューやボタンの数が多すぎて表示画面が見づらくなるという問題点がある。
【課題を解決するための手段】
【０００４】
（１）請求項１の発明は、表示画面にタッチパネルを設けた表示制御装置において、表示画面上に設定され、押圧位置に応じた位置信号を出力するスイッチ領域と、位置信号に対して割り当てられた機能を示すアイコンを表示画面上に表示するアイコン表示手段と、表示画面上に表示されたアイコンを選択する選択手段と、選択されたアイコンに基づく機能を実行する実行手段とを備えることを特徴とする。
（２）請求項２の発明は、請求項１に記載の表示制御装置において、スイッチ領域は、表示画面の周縁に沿って延在する帯状領域であり、帯状領域には、所定間隔で複数の機能が設定されていることを特徴とする。
（３）請求項３の発明は、請求項１または２に記載の表示制御装置において、選択手段は、スイッチ領域から出力されている位置信号が消滅するタイミングで表示されているアイコンを選択することを特徴とする。
（４）請求項４の発明は、請求項１または２に記載の表示制御装置において、１つの位置信号に割り当てられた機能は複数であり、アイコン表示手段は、複数の機能に対応する複数のアイコン、または複数の機能に対応する複数のボタンを表示し、選択手段は、複数のアイコンのいずれかまたは複数のボタンのいずれかをさらに選択することを特徴とする。
（５）請求項５の発明は、請求項１乃至３のいずれか１項に記載の表示制御装置において、実行手段は、選択されたアイコンが押圧されると選択されたアイコンに基づく機能を実行することを特徴とする。
（６）請求項６の発明は、表示画面にタッチパネルを設けた表示制御装置において、表示画面上に設定されたスイッチ領域と、スイッチ領域が押圧されたときに出力される位置信号が出力されている間、割り当てられた機能を示すアイコンを順次切り替えて表示画面上に表示するアイコン表示手段と、スイッチ領域が押圧されたときに出力される位置信号が消滅するタイミングで表示されているアイコンを選択する選択する選択手段と、選択されたアイコンに基づく機能を実行する実行手段とを備えることを特徴とする。
（７）請求項７の発明は、請求項６に記載の表示制御装置において、実行手段は、選択されたアイコンが押圧されると選択されたアイコンに基づく機能を実行することを特徴とする。
（８）請求項８の発明は、表示画面にタッチパネルを設けた表示制御装置において、表示画面上に設定されたスイッチ領域と、スイッチ領域が押圧されたときに出力される位置信号が出力されるごとに、割り当てられた機能を示すアイコンを順次切り替えて表示画面上に表示するアイコン表示手段と、アイコン表示手段によって表示されているアイコンを選択する選択手段と、選択されたアイコンに基づく機能を実行する実行手段とを備えることを特徴とする。
（９）請求項９の発明は、請求項６または８に記載の表示制御装置において、割り当てられた機能は複数であり、アイコン表示手段は、複数の機能に対応する複数のアイコン、または複数の機能に対応する複数のボタンを表示し、選択手段は、複数のアイコンのいずれかまたは複数のボタンのいずれかをさらに選択することを特徴とする。
（１０）請求項１０の発明は、請求項１乃至９のいずれか１項に記載の表示制御装置において、スイッチ領域を半透明で表示することを特徴とする。
（１１）請求項１１の発明は、請求項１乃至９のいずれか１項に記載の表示制御装置において、スイッチ領域を表示しないことを特徴とする。
（１２）請求項１２の発明の地図表示装置は、請求項１乃至１１のいずれか１項に記載の表示制御装置と、表示画面に表示する道路地図を生成する地図生成手段とを備えることを特徴とする。
（１３）請求項１３の発明のナビゲーション装置は、請求項１２に記載の地図表示装置と、自車位置を検出する位置検出手段と、検出手段で検出された自車位置に自車位置マークを表示する自車位置マーク表示手段とを備えることを特徴とする。
【発明の効果】
【０００５】
本発明によれば、表示画面上に設定された領域をこすることによって、押圧し続けることによって、または複数回押圧することによって各種機能が割り当てられたアイコンを順次表示画面に表示させ、表示されたアイコンを選択することによって選択されたアイコンに基づく機能を実行させることができる。したがって、押圧すると所定の機能を実行する各種機能のメニューやボタンを予め表示する必要はなく、表示画面に表示するメニューやボタンの数を少なくすることができるので表示画面が見やすくなる。
【発明を実施するための最良の形態】
【０００６】
本発明の一実施形態によるナビゲーション装置の構成を図１に示す。図１のナビゲーション装置１は、表示画面に表示されたアイコンやボタンを押圧することによって各種機能を実行させることができる。ナビゲーション装置１は、制御回路１１、ＲＯＭ１２、ＲＡＭ１３、現在地検出装置１４、画像メモリ１５、表示モニタ１６、入力装置１７、タッチパネル１８およびディスクドライブ１１０を有している。ディスクドライブ１１０には、ＤＶＤ−ＲＯＭ１１１が装填されている。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１１に記憶された地図データに基づいて所定の経路探索処理を行うと、その処理結果が推奨経路として表示モニタ１６に表示される。
【０００８】
また、制御回路１１はタッチパネルコントロール部１９で算出されたタッチパネル１８の押圧位置の情報を取得して、その情報をＲＯＭ１２に格納されているタッチパネル１８のタッチエリアの情報と照合する。そして、押圧位置に該当するタッチエリアに関連付けられているボタンやメニュー、スイッチなどに定義されている機能を実行する。
【０００９】
現在地検出装置１４は車両の現在地を検出する装置であり、たとえば、車両の進行方向を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【００１０】
画像メモリ１５は、表示モニタ１６に表示するための画像データを格納する。この画像データは道路地図描画用データや各種の図形データからなり、それらはディスクドライブ１１０によって読み込まれるＤＶＤ−ＲＯＭ１１１に記憶された地図データに基づいて、適宜生成される。ナビゲーション装置１は、このようにして生成された画像データを用いることによって地図表示など行うことができる。
【００１１】
ディスクドライブ１１０は、装填されたＤＶＤ−ＲＯＭ１１１から、表示モニタ１６へ地図を表示するための地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、乗員の要求にしたがって、表示地図の縮尺を変更することができる。なお、ＤＶＤ−ＲＯＭ１１１以外の他の記録メディア、たとえばＣＤ−ＲＯＭやハードディスクなどより地図データを読み出してもよい。
【００１２】
表示モニタ１６は、地図データなどの各種情報に基づいて、自車位置付近の道路地図などの各種情報を画面表示として乗員に提供する。入力装置１７は、乗員が各種コマンドの設定などするための操作キーを有し、操作パネルやリモコンなどによって実現される。乗員は、表示モニタ１６の表示画面の指示に従って入力装置１７を手動で操作することにより、目的地を選択して設定する。
【００１３】
タッチパネル１８は表示モニタ１６のモニタ画面上に設けられた透明パネルであり、表示モニタ１６に表示した表示画面はタッチパネル１８を通して表示される。また、表示モニタ１６の表示画面を押圧すると、タッチパネル１８から押圧位置に応じた位置信号が出力される。タッチパネル１８は入力装置１７と同様に入力機能を有する。表示モニタ１６に表示された地図画面や各種機能のメニュー、ボタンなどを指で押圧してタッチパネル１８から位置信号がタッチパネルコントロール部１９に入力され、タッチパネルコントロール部１９によって押圧位置が算出される。そして、算出された押圧位置は制御回路１１に入力され、目的地を設定したり、各種機能のメニューやボタンに定義された機能を実行させたりする。
【００１４】
目的地が乗員により設定されると、ナビゲーション装置１はＧＰＳセンサ１４ｃにより検出された現在地を出発地として目的地までの経路演算を所定のアルゴリズムに基づいて行う。以下、この経路演算を探索演算と呼ぶ。このようにして求められたルート（以下、推奨経路という）は、表示形態、たとえば表示色などを変えることによって、ほかの道路とは区別して画面表示される。これにより、乗員は地図上の推奨経路を画面上で認識することができる。また、ナビゲーション装置１は、推奨経路にしたがって車両が走行できるように、表示モニタ１６に表示された道路地図に推奨経路を表示し、乗員に対して画面や音声などによる進行方向指示を行い、車両を経路誘導する。
【００１５】
次に、図２〜４を参照して、本発明の実施形態のナビゲーション装置１における入力操作について説明する。図２は、自車位置の現在位置を道路地図２１上に表示した表示モニタ１６の表示画面である。自車位置は、自車位置マーク２２で表している。表示画面の右端の領域には、表示画面の右縁に沿って帯状のこすりスイッチ領域２３が設けられている。こすりスイッチ領域２３は、背後の道路地図２１が見えるようにするため、半透明に表示されている。帯状のこすりスイッチ領域２３には、図２の上から下に所定間隔で複数の機能が割り当てられている。
【００１６】
乗員がこすりスイッチ領域２３の所定位置を押圧すると、その位置に応じて、機能が割り当てられたアイコンが、たとえば図３に示すように表示される。図３において、表示画面の中央に表示されているアイコン３１には、表示モニタ１６の表示画面を消す機能が割り当てられている。そして、押圧を止める、つまり押圧していた指をタッチパネル１８から離すと、アイコン３１に割り当てられている機能が実行され、表示モニタ１６の表示画面は消える。
【００１７】
乗員が、こすりスイッチ領域２３を押圧しながら押圧位置を移動すると、つまり、こすりスイッチ領域２３をこすることにより、表示画面に表示されるアイコンを順次切り替えることができる。たとえば、図４に示すように、図３の押圧位置から下方にこすると、画面消しのアイコン３１に代って、道路地図２１の縮尺率を小さくする機能が割り当てられている広域表示のアイコン４１が表示画面に表示される。そして、押圧を止めると、つまり、こすりスイッチ領域２３から指を離すと広域表示のアイコン４１に定義されている機能が実行され、表示モニタ１６に表示されていた道路地図２１の縮尺率が小さくなる。
【００１８】
こすりスイッチ領域２３をこすると、アイコンが順次切り替わる原理を次に説明する。図５に示すように、タッチパネル１８に設定されたこすりスイッチ領域２３には複数のタッチエリア５１ａ〜５１ｌが設けられている。それぞれのタッチエリア５１ａ〜５１ｌには、押圧が検出されると実行される機能が割り当てられ、各機能はアイコンで表示されている。たとえば、タッチエリア５１ｂには画面消しの機能が割り当てられており、タッチエリア５１ｂ内で押圧が検出された場合は、画面消しのアイコン３１を表示画面に表示する。また、タッチエリア５１ｃには、広域表示の機能が割り当てられており、タッチエリア５１ｃ内で押圧が検出された場合は、広域表示のアイコン４１を表示画面に表示する。そして、押圧が検出されなくなったとき、つまりこすりスイッチ領域２３をこすっていた指を離したときに表示されていたアイコンに割り当てられていた機能が実行される。たとえば、タッチエリア５１ｂ内で押圧が検出されなくなった場合は、画面消しのアイコン３１に割り当てられている機能が実行され、表示画面が消える。
【００１９】
次に、本発明の実施形態のナビゲーション装置１における入力処理について、図６のフローチャートを参照して説明する。図６の処理は、表示モニタ１６に表示画面が表示されるとスタートするプログラムにより、制御回路１１において実行される。
【００２０】
ステップＳ６０１では、タッチパネルコントロール部１９から出力される位置信号より、タッチパネル１８が押圧されているか判定する。押圧されている場合はステップＳ６０１が肯定判定され、ステップＳ６０２へ進む。押圧されていない場合はステップＳ６０１を繰り返す。ステップＳ６０２では、タッチパネルコントロール部１９から出力された位置信号より押圧位置の情報を取得する。ステップＳ６０３では、押圧位置の情報をＲＯＭ１２に記憶されているタッチエリアの情報と照合する。ステップＳ６０４では、押圧位置に該当するタッチエリアに関連付けられたアイコンを表示する。
【００２１】
ステップＳ６０５では、タッチパネル１８が押圧されているか判定する。押圧されている場合、つまり位置信号が検出される場合はステップＳ６０５が肯定判定され、ステップＳ６０２へ戻る。押圧されていない場合、つまり位置信号が消滅した場合はステップＳ６０５が否定判定され、ステップＳ６０６へ進む。
【００２２】
ステップＳ６０６では、ステップＳ６０４で表示されたアイコンに割り当てられている機能を実行し、この処理を終了して所定のステップへリターンする。
【００２３】
以上の実施の形態によるナビゲーション装置１は次のような作用効果を奏する。
（１）表示画面上に設定されたこすりスイッチ領域２３をこすることによって各種機能が割り当てられたアイコン３１，４１を順次表示画面に表示させ、表示されたアイコン３１，４１を選択することによって選択されたアイコン３１，４１に基づく機能を実行させることができる。したがって、押圧すると所定の機能を実行する各種機能のメニューやボタンを予め表示する必要はなく、表示画面に表示するメニューやボタンの数を少なくすることができるので表示画面が見やすくなる。
【００２４】
（２）表示画面の右縁に沿って帯状にこすりスイッチ領域２３を設けたので、こすりスイッチ領域２３の位置がわかりやすい。
【００２５】
以上の実施の形態のナビゲーション装置１を次のように変形することができる。
（１）表示画面の右縁に沿ってこすりスイッチ領域２３を設けたが、表示画面の縁に沿って設けられていれば右縁に限定されない。たとえば、図７に示すように、表示画面の下縁に沿ってこすりスイッチ領域２３を設けてもよい。
【００２６】
（２）こすりスイッチ領域２３を半透明で表示したが、こすりスイッチ領域２３が表示画面に表示されなくても表示画面の縁を基準にすればこすりスイッチ領域２３の位置はわかるので、こすりスイッチ領域２３を表示しなくてもよい。こすりスイッチ領域２３を表示しないことによって、さらに表示画面が見やすくなる。
【００２７】
（３）こすりスイッチ領域２３の押圧を止めると、アイコン３１，４１に定義された機能が実行されるが、こすりスイッチ領域２３の押圧を止め、表示されたアイコン３１，４１を押圧すると、アイコン３１，４１に割り当てられている機能を実行するようにしてもよい。この場合、こすりスイッチ領域２３の押圧を止めた時点に表示されていたアイコン３１，４１は、押圧されるまで表示される。このようにすることによって、所望の機能が割り当てられたアイコン３１，４１を確実に選択することができ、アイコンの選択間違いを防ぐことができる。
【００２８】
（４）図５に示すようにこすりスイッチ領域２３には、上から下に所定間隔でひとつの機能を割り当てたタッチエリア５１ａ〜５１ｅを設定した。しかしながら、各タッチエリアに複数の機能を表示したポップアップ画面を割り当て、その画面内のアイコンやボタンに割り当てられた機能を選択して実行するようにしてもよい。たとえば、図８に示すように、こすりスイッチ領域２３をこすることによって、目的地を探索する機能が割り当てられたポップアップ画面８０を表示し、ポップアップ画面８０のボタン８１ａ〜８１ｄの中から「電話番号から」ボタン８１ｃを押圧することによって、電話番号を入力する表示画面の表示、つまりボタン８１ｃに割り当てられている機能が実行されるようにしてもよい。このようにすることによって、さらに多くの種類のアイコンやボタンを表示させることができる上、アイコンやボタンの選択もしやすくなるので、乗員の利便性が向上する。
【００２９】
（５）表示画面の端の領域を表示画面の縁に沿ってこすることによって各種機能が割り当てられたアイコンを順次切り替えて表示画面に表示させたが、所定の領域を押し続けることによって各種機能が割り当てられたアイコンを順次切り替えて表示画面に表示させるようにしてもよい。たとえば、図９に示すように、ボタン９１を押し続けると、表示画面中央に表示されている広域表示のアイコン４１からほかのアイコンに順次切り替わるようにしてもよい。この場合も、表示画面に表示するメニューやボタンの数を少なくすることができ、表示画面が見やすくなる。
【００３０】
（６）表示画面の端の領域を表示画面の縁に沿ってこすることによって各種機能が割り当てられたアイコンを順次切り替えて表示画面に表示させたが、所定の領域を押すごとに各種機能が割り当てられたアイコンが順次切り替わり表示画面に表示されるようにしてもよい。たとえば、図９において、ボタン９１を押すごとに、表示画面中央に表示されているアイコン４１から順次ほかのアイコンに順次切り替わり、表示されているアイコン４１を押圧するとアイコン４１に割り当てられている機能が実行される。この場合も、表示画面に表示するメニューやボタンの数を少なくすることができ、表示画面が見やすくなる。
【００３１】
（７）タッチパネルを備えた表示制御装置または地図表示装置であればナビゲーション装置１に限定されない。たとえば、携帯端末機やＰＤＡ、あるいはパーソナルコンピュータでもよい。
【００３２】
本発明は、表示画面上の押圧操作によって、所定の機能が割り当てられたアイコンやボタンを順次表示させ、表示画面上に表示されたアイコンを選択すると、選択されたアイコンに基づく機能を実行する構成を有していれば、以上説明した実施の形態になんら限定されない。
【００３３】
特許請求の範囲の要素と実施の形態との対応関係を説明する。
本発明のアイコン表示手段は制御回路１１に対応し、選択手段は制御回路１１、タッチパネル１８およびタッチパネルコントロール部１９に対応する。実行手段は制御回路１１に対応し、地図生成手段は制御回路１１、ディスクドライブ１１０およびＤＶＤ−ＲＯＭ１１１に対応する。位置検出手段は現在地検出装置１４に対応し、自車位置マーク表示手段は制御回路１１に対応する。なお、以上の説明はあくまで一例であり、発明を解釈する上で、上記の実施形態の構成要素と本発明の構成要素との対応関係になんら限定されるものではない。
【図面の簡単な説明】
【００３４】
【図１】本発明の実施形態のナビゲーション装置の構成を示すブロック図である。
【図２】表示画面に表示されたこすりスイッチ領域を説明するための図である。
【図３】こすりスイッチ領域を押圧したときに表示される表示画面を説明するための図である。
【図４】こすりスイッチ領域をこすったときに表示される表示画面を説明するための図である。
【図５】表示画面に設けられたタッチパネルにおけるタッチエリアを説明するための図である。
【図６】表示画面に表示されたタッチエリアへの入力処理を説明するためのフローチャートである。
【図７】他の実施形態におけるこすりスイッチ領域を説明するための図である。
【図８】他の実施形態におけるこすりスイッチ領域の押圧操作を説明するための図である。
【図９】各種機能が定義されたアイコンを順次表示画面に表示させる他の実施形態を説明するための図である。
【符号の説明】
【００３５】
１  ナビゲーション装置
１１  制御回路
１２  ＲＯＭ
１６  表示モニタ
１８  タッチパネル
１９  タッチパネルコントロール部
２３  こすりスイッチ領域
３１，４１  アイコン
５１ａ〜５１ｌ  タッチエリア
８１ａ〜８１ｄ，９１  ボタン
【図１】
2007199980.tif 000003
【図２】
2007199980.tif 000004
【図３】
2007199980.tif 000005
【図４】
2007199980.tif 000006
【図５】
2007199980.tif 000007
【図６】
2007199980.tif 000008
【図７】
2007199980.tif 000009
【図８】
2007199980.tif 000010
【図９】
2007199980.tif 000011